(57)【要約】【課題】通話を移動通信端末装置とハンズフリー装置との間で適切に移管することができるハンズフリーシステム、移動通信端末装置及びハンズフリー制御方法を提供する。【解決手段】電話帳データベース１７に通話相手の電話番号とハンズフリー装置を用いた通話が適切であるかを表す情報とを合わせて記憶させ、移動通信端末装置１の制御部１１は、電話帳データベース１７を参照して、通話毎に移動通信端末装置１を用いた通話とするか、ハンズフリー装置を用いた通話とするかを判断する。【選択図】  図２
2004336551.tif 000002
【特許請求の範囲】
【請求項１】
移動通信網に接続された通信装置との間で通話を行う移動通信端末装置とハンズフリー装置とが近距離無線回線を介して接続されたハンズフリーシステムであって、
第１のマイクロフォンと、第１のスピーカと、前記第１のマイクロフォンから入力された第１の音声信号を前記移動通信端末装置に送信する手段と、前記移動通信端末装置から送信された第２の音声信号を受信して前記第１のスピーカから発音する手段とを有する前記ハンズフリー装置と、
第２のマイクロフォンと、第２のスピーカと、前記移動通信網との間で第３の音声信号の送受信を行う第１の送受信手段と、前記ハンズフリー装置との間で前記第１及び第２の音声信号の送受信を行う第２の送受信手段と、前記移動通信網から前記第１の送受信手段によって受信された前記第３の音声信号を前記第２のスピーカから発音し、かつ、前記第２のマイクロフォンから入力された音声信号を前記第１の送受信手段によって前記第３の音声信号として前記移動通信網へ送信する通常通話の実行と、前記移動通信網から前記第１の送受信手段によって受信された前記第３の音声信号を前記第２の送受信手段によって前記第２の音声信号として前記ハンズフリー装置へ送信し、かつ、前記ハンズフリー装置から前記第２の送受信手段によって受信された前記第１の音声信号を前記第１の送受信手段によって前記第３の音声信号として前記移動通信網へ送信するハンズフリー通話の実行とを切替える切替え手段と、電話番号とハンズフリー通話識別子とを記憶する手段とを有する前記移動通信端末装置とを具備し、
前記移動通信端末装置の前記切替え手段は、通話相手の前記電話番号をキーにして前記記憶手段を検索して得た前記ハンズフリー通話識別子に従って前記通常通話の実行と前記ハンズフリー通話の実行とを切替えることを特徴とするハンズフリーシステム。
【請求項２】
移動通信網に接続された通信装置との間で通話を行い、かつ、ハンズフリー装置と近距離無線回線を介して接続された移動通信端末装置であって、
マイクロフォンと、
スピーカと、
前記移動通信網との間で第１の音声信号の送受信を行う第１の送受信手段と、
前記ハンズフリー装置との間で第２の音声信号の送受信を行う第２の送受信手段と、
前記移動通信網から前記第１の送受信手段によって受信された前記第１の音声信号を前記スピーカから発音し、かつ、前記マイクロフォンから入力された音声信号を前記第１の送受信手段によって前記第１の音声信号として前記移動通信網へ送信する通常通話の実行と、前記移動通信網から前記第１の送受信手段によって受信された前記第１の音声信号を前記第２の送受信手段によって前記第２の音声信号として前記ハンズフリー装置へ送信し、かつ、前記ハンズフリー装置から前記第２の送受信手段によって受信された前記第２の音声信号を前記第１の送受信手段によって前記第１の音声信号として前記移動通信網へ送信するハンズフリー通話の実行とを切替える切替え手段と、
電話番号とハンズフリー通話識別子とを記憶する手段とを有し、
前記切替え手段は、通話相手の前記電話番号をキーにして前記記憶手段を検索して得た前記ハンズフリー通話識別子に従って前記通常通話の実行と前記ハンズフリー通話の実行とを切替える
ことを特徴とする移動通信端末装置。
【請求項３】
入力手段を更に有し、
前記ハンズフリー通話識別子は前記入力手段から入力されたことを特徴とする請求項２に記載の移動通信端末装置。
【請求項４】
入力手段と、
前記入力手段から入力された指示に従って前記通常通話の実行と前記ハンズフリー通話の実行とを切替え、かつ、前記入力手段から入力された指示に従って前記ハンズフリー通話識別子を格納する第２の切替え手段とを更に有することを特徴とする請求項２に記載の移動通信端末装置。
【請求項５】
移動通信網に接続された通信相手の通信装置との間で通話を行い、かつ、ハンズフリー装置との間で近距離無線回線を介して接続された移動通信端末装置のハンズフリー制御方法であって、
前記通信相手の通信装置に発呼し、
前記ハンズフリー装置との間の前記近距離無線回線リンクを確立し、
前記発呼したことを前記ハンズフリー装置に通知し、
前記通信相手の通信装置からの着呼信号を受信し、
前記ハンズフリー装置に自端末装置を経由して前記通信相手の通信装置との間で通話を行わせる
ことを特徴とするハンズフリー制御方法。
【請求項６】
移動通信網に接続された通信相手の通信装置との間で通話を行い、かつ、ハンズフリー装置との間で近距離無線回線を介して接続された移動通信端末装置のハンズフリー制御方法であって、
前記通信相手の通信装置からの着信を受け、
前記ハンズフリー装置との間の前記近距離無線回線リンクを確立し、
前記着信を受けたことを前記ハンズフリー装置に通知し、
前記ハンズフリー装置からの着呼信号を受信し、
前記ハンズフリー装置に自端末装置を経由して前記通信相手の通信装置との間で通話を行わせる
ことを特徴とするハンズフリー制御方法。
【発明の詳細な説明】
【０００１】
【発明の属する技術分野】
本発明は、ハンズフリーシステム、移動通信端末装置及びハンズフリー制御方法に係り、特に通話を移動通信端末装置とハンズフリー装置との間で移管する処理に関する。
【０００２】
【従来の技術】
自動車の運転者が運転中に移動通信端末装置を手に持って通話することは、交通安全の観点から問題が指摘されている。そこで、少なくとも、マイクロフォンとスピーカと少数のキースイッチとから構成されたハンズフリー装置を車内に設置し、運転者は、そのハンズフリー装置を用いて移動通信端末装置を手に持たずに通話ができるようにする処理が知られている。
【０００３】
ここで、移動通信端末装置とハンズフリー装置との間は、ケーブルで接続しても良いし、例えば、ブルートゥース（登録商標）方式による近距離無線通信回線を用いて接続しても良い。
【０００４】
このように、移動通信端末装置とハンズフリー装置とから構成されたハンズフリーシステムにおいては、通話は移動通信端末装置かハンズフリー装置のいずれか一方の装置を用いて行う。そこで、移動通信端末装置とハンズフリー装置との間の接続の完了に従って、通話をハンズフリー装置によって行う処理が開示されている（例えば、特許文献１参照。）。また、利用者の所定の操作によって、通話をこれらの装置のいずれかから他方に移管する処理が開示されている（例えば、特許文献２参照。）。
【０００５】
【特許文献１】
特開２００１−２４４８７７号公報（第２−３頁、図２）
【０００６】
【特許文献２】
特開２００２−１７１３３７号公報（第２頁、図１）
【０００７】
【発明が解決しようとする課題】
しかしながら、移動通信端末装置とハンズフリー装置との間の接続が完了していても、必ずしもハンズフリー装置を用いた通話が適切でない問題点があった。例えば、同乗者に通話の内容を知られたくない場合には、移動通信端末装置を用いた通話が適切である。
【０００８】
また、いずれの装置を用いて通話するかを利用者の操作によって切替えるには、移動通信端末装置がその切替えが可能な状況にあることと、ケーブルによって接続、または、近距離無線通信回線によるリンクの確立を確認の上、利用者が切替え操作を行う必要があり、複雑な操作手順を経なければならない等の問題点があった。
【０００９】
本発明は、上記問題点を解決するためになされたもので、移動通信端末装置とハンズフリー装置との間の接続を利用者に意識させることなしに行い、通話をこれらの２つの装置の間で適切に移管することができるハンズフリーシステム、移動通信端末装置及びハンズフリー制御方法を提供することを目的とする。
【００１０】
【課題を解決するための手段】
上記目的を達成するために、本発明のハンズフリーシステムは、移動通信網に接続された通信装置との間で通話を行う移動通信端末装置とハンズフリー装置とが近距離無線回線を介して接続されたハンズフリーシステムであって、第１のマイクロフォンと、第１のスピーカと、前記第１のマイクロフォンから入力された第１の音声信号を前記移動通信端末装置に送信する手段と、前記移動通信端末装置から送信された第２の音声信号を受信して前記第１のスピーカから発音する手段とを有する前記ハンズフリー装置と、第２のマイクロフォンと、第２のスピーカと、前記移動通信網との間で第３の音声信号の送受信を行う第１の送受信手段と、前記ハンズフリー装置との間で前記第１及び第２の音声信号の送受信を行う第２の送受信手段と、前記移動通信網から前記第１の送受信手段によって受信された前記第３の音声信号を前記第２のスピーカから発音し、かつ、前記第２のマイクロフォンから入力された音声信号を前記第１の送受信手段によって前記第３の音声信号として前記移動通信網へ送信する通常通話の実行と、前記移動通信網から前記第１の送受信手段によって受信された前記第３の音声信号を前記第２の送受信手段によって前記第２の音声信号として前記ハンズフリー装置へ送信し、かつ、前記ハンズフリー装置から前記第２の送受信手段によって受信された前記第１の音声信号を前記第１の送受信手段によって前記第３の音声信号として前記移動通信網へ送信するハンズフリー通話の実行とを切替える切替え手段と、電話番号とハンズフリー通話識別子とを記憶する手段とを有する前記移動通信端末装置とを具備し、前記移動通信端末装置の前記切替え手段は、通話相手の前記電話番号をキーにして前記記憶手段を検索して得た前記ハンズフリー通話識別子に従って前記通常通話の実行と前記ハンズフリー通話の実行とを切替えることを特徴とする。
【００１１】
本発明によれば、通話の相手に依存して、通話を移動通信端末装置とハンズフリー装置との間で適切に移管することが可能となる。
【００１２】
【発明の実施の形態】
以下に、本発明によるハンズフリーシステムの実施の形態を、図面を参照して説明する。図１は、本発明の実施形態に係るハンズフリーシステムの構成を示すブロック図である。
【００１３】
このハンズフリーシステムは、移動通信網に接続された通信端末装置（図示せず）との間で通話を行う移動通信端末装置１と、この移動通信端末装置１を経由して上記通信を行うハンズフリー装置２と、移動通信端末装置１とハンズフリー装置２とを接続する近距離無線通信網３とからなる。
【００１４】
図２は、移動通信端末装置１の構成を示すブロック図である。この移動通信端末装置１は、装置全体の制御を行う制御部１１と、基地局（図示せず）との間で電波の送受信を行うアンテナ１２ａと、通信部１２ｂと、送受信部１３と、スピーカ１４ａと、マイクロフォン１４ｂと、通話部１４ｃと、利用者からの操作指示を入力する入力部１５と、利用者へ情報の提示を行う出力部１６と、電話帳データベース１７と、近距離無線通信の電波の送受信を行うアンテナ１８ａと、近距離無線通信部１８ｂと、近距離無線送受信部１９とからなる。
【００１５】
図３は、ハンズフリー装置２の構成を示すブロック図である。このハンズフリー装置２は、装置全体の制御を行う制御部２１と、近距離無線通信の電波の送受信を行うアンテナ２２ａと、近距離無線通信部２２ｂと、近距離無線送受信部２３と、スピーカ２４ａと、マイクロフォン２４ｂと、通話部２４ｃと、利用者からの操作指示を入力する入力部２５とからなる。
【００１６】
まず、移動通信端末装置１の各部の動作を、図２を参照して説明する。通信部１２ｂは、アンテナ１２ａを介して受信した高周波信号を送受信部１３に送信する。また、送受信部１３から出力される高周波信号をアンテナ１２ａに送信する。
【００１７】
送受信部１３は、通信部１２ｂからの高周波信号を増幅、周波数変換及び復調し、それによって得たデジタル音声信号を通話部１４ｃか近距離無線送受信部１９に送信し、また、制御信号を制御部１１に送信する。更には、通話部１４ｃまたは近距離無線送受信部１９から出力されるデジタル音声信号、及び制御部１１から出力される制御信号を変調、周波数変換及び増幅し、高周波信号を得て、それを通信部１２ｂに送信する。
【００１８】
通話部１４ｃは、送受信部１３から出力されるデジタル音声信号をアナログ音声信号に変換し、それを増幅してスピーカ１４ａに送る。また、マイクロフォン１４ｂが出力するアナログ音声信号を増幅し、それをデジタル音声信号に変換して送受信部１３へ送信する。
【００１９】
入力部１５は、複数のキースイッチからなり、制御部１１からの起動信号により、利用者が操作したキースイッチを識別するコード信号を制御部１１へ通知する。
【００２０】
出力部１６は、例えばＬＣＤの表示部であり、制御部１１より起動されることにより、表示動作を開始する。入力部１５からの入力信号に応答して、制御部１１より新しい画面が起動されるまで、同じ表示動作を続ける。
【００２１】
次に、電話帳データベース１７に記憶される電話帳データを、図４を参照して説明する。電話帳データは、電話番号１７ａと、名前１７ｂと、ハンズフリーフラッグ１７ｃとからなる。ここで、１組の電話番号１７ａと名前１７ｂとハンズフリーフラッグ１７ｃとによって、１つの電話番号１７ａと、その電話番号に付属するデータを表している。
【００２２】
ここで、ハンズフリーフラッグ１７ｃは、電話番号１７ａを相手とする通話をハンズフリー装置２を用いて行う場合の設定には「○」なる情報を格納する。また、ハンズフリー装置２を用いず、移動通信端末装置１を用いて行う場合の設定には「×」なる情報を格納し、未設定の場合には「−」なる情報を格納する。
【００２３】
これらの情報は、利用者が入力部１５を操作して設定した指示内容に従って格納される。または、その電話番号１７ａを相手とする通話を利用者がハンズフリー装置２を用いて行った場合には、制御部１１が「○」なる情報を格納し、また、その通話を利用者がハンズフリー装置２を用いず移動通信端末装置１を用いて行った場合には、制御部１１が「×」なる情報を格納しても良い。
【００２４】
次に、近距離無線通信部１８ｂは、アンテナ１８ａを介して近距離無線通信網３から受信した近距離無線高周波信号を近距離無線送受信部１９に送信する。また、近距離無線送受信部１３から出力される高周波信号をアンテナ１８ａを介して近距離無線通信網３に送信する。ここで、近距離無線通信は、例えばブルートゥース方式を用いても良いし、無線ＬＡＮ方式を用いても良い。また、赤外線通信方式を用いても良い。
【００２５】
近距離無線送受信部１９は、近距離無線通信部１８ｂからの高周波信号を増幅、周波数変換及び復調し、それによって得たデジタル音声信号を送受信部１３に送信し、また、制御信号を制御部１１に送信する。更には、送受信部１３から出力されるデジタル音声信号、及び制御部１１から出力される制御信号を変調、周波数変換及び増幅し、高周波信号を得て、それを近距離無線通信部１８ｂに送信する。
【００２６】
次に、ハンズフリー装置２の各部の動作を、図３を参照して説明する。近距離無線通信部２２ｂは、アンテナ２２ａを介して近距離無線通信網３から受信した近距離無線高周波信号を近距離無線送受信部２３に送信する。また、近距離無線送受信部２３から出力される高周波信号をアンテナ２２ａを介して近距離無線通信網３に送信する。ここで、近距離無線通信の方式は、近距離無線通信部１８ｂの説明で説明した通りである。
【００２７】
近距離無線送受信部２３は、近距離無線通信部２２ｂからの高周波信号を増幅、周波数変換及び復調し、それによって得たデジタル音声信号を通話部２４ｃに送信し、また、制御信号を制御部２１に送信する。更には、通話部２４ｃから出力されるデジタル音声信号、及び制御部２１から出力される制御信号を変調、周波数変換及び増幅し、高周波信号を得て、それを近距離無線通信部２２ｂに送信する。
【００２８】
通話部２４ｃは、近距離無線送受信部２３から出力されるデジタル音声信号をアナログ音声信号に変換し、それを増幅してスピーカ２４ａに送る。また、マイクロフォン２４ｂが出力するアナログ音声信号を増幅し、それをデジタル音声信号に変換して近距離無線送受信部２３へ送信する。更には、スピーカ２４ａから発生した音声がマイクロフォン２４ｂから入力されることによって発生するハウリングを防止するためのエコーキャンセルを行う。
【００２９】
入力部２５は、複数のキースイッチからなり、制御部２１からの起動信号により、利用者が操作したキースイッチを識別するコード信号を制御部２１へ通知する。
【００３０】
上記のように構成された、本発明の実施形態に係るハンズフリーシステムの動作を、まず、移動通信端末装置１の制御部１１の制御動作から説明する。
【００３１】
図５は、移動通信端末装置１の制御部１１によるハンズフリー機能の制御動作のフローチャートを示す。ハンズフリー機能の制御動作は、移動通信端末装置１に電源が投入された時点で動作を開始し（ステップ１１ａ）、近距離無線送受信部１９とハンズフリー装置２の近距離無線送受信部２３との間で所定の認証を経て近距離無線回線のリンクが確立されたときに、近距離無線送受信部１９から出力される通知を待つ。
【００３２】
上記リンクが確立したとの通知を受けると（ステップ１１ｂ）、その時点での移動通信端末装置１の通信状況が「待ち受け中」、「発呼中」、「着信中」、「通話中」のいずれかであるかをハンズフリー装置２の制御部２１に通知する（ステップ１１ｃ）。
【００３３】
次に、上記通信状況によって分岐し（ステップ１１ｄ）、その状況が「待ち受け中」であればイベントの発生を待ち、イベントの発生があるとそのイベントの発生によって遷移した通信状況をハンズフリー装置２の制御部２１に通知する（ステップ１１ｅ）。
【００３４】
ここでのイベントは、「発呼」と「着信」のいずれかである。「発呼」イベントによって通信状況は「発呼中」に遷移し、「着信」イベントによって通信状況は「着信中」に遷移する。なお、「発呼」には、移動通信端末装置１の入力部１５からの発呼と、ハンズフリー装置２からの近距離無線通信網３を経由して伝えられた発呼との双方を含む。
【００３５】
また、ステップ１１ｄで、通信状況が「発呼中」か「着信中」のいずれかであれば、それぞれ、ステップ１１ｅの動作で説明したイベントが発生していて、それによって遷移した通信状況もステップ１１ｃでハンズフリー装置２に通知済なので、ステップ１１ｅをスキップして、次の処理に進む。
【００３６】
制御部１１は、続いて、発生したイベントが「発呼」の場合には相手方の着呼を待って開始される通話、また、発生したイベントが「着信」の場合には移動通信端末装置１またはハンズフリー装置２のいずれかから行われる利用者の着呼操作を待って開始される通話は、ハンズフリー装置２を用いて行うのが適切であるか、それとも、移動通信端末装置１を用いて行うのが適切であるかを判断する（ステップ１１ｆ）。
【００３７】
この際、いずれの装置を用いて通話を行うのが適切であるかの判断は、電話帳データベース１７を用いて行う。即ち、上記「発呼」の宛先の電話番号、または、上記「着信」の発呼局の電話番号を電話帳データベース１７の電話番号１７ａと比較して検索し、その検索された電話番号に設定されているハンズフリーフラッグ１７ｃの値によって判断する。
【００３８】
即ち、検索されたハンズフリーフラッグ１７ｃの値が「○」であれば、ハンズフリー装置２を用いた通話が適切であると判断する。また、検索されたハンズフリーフラッグ１７ｃの値が「×」であれば、移動通信端末装置１を用いた通話が適切であると判断する。
【００３９】
しかし、検索されたハンズフリーフラッグ１７ｃの値が「−」である場合、検索をして検索結果が得られない場合、更に、上記「着信」の発呼局の電話番号が不明で上記検索ができない場合には、上記いずれの装置を用いて通話するのが適切であるかを電話帳データベース１７を用いて判断することはできない。
【００４０】
その場合には、イベントが「発呼」の場合には、利用者によって発呼操作が行われた装置を用いて通話するのが適切であると判断する。また、イベントが「着信」の場合には、着呼操作が行われるのを待って、利用者によって着呼操作が行われた装置を用いて通話するのが適切であると判断する。
【００４１】
または、電話帳データベース１７を用いず利用者の指示に基づいて、通話はハンズフリー装置２を用いて行うのが適切であるか、それとも、移動通信端末装置１を用いて行うのが適切であるかを判断しても良い。ここで、上記利用者の指示は、入力部１５から入力されるものであっても良いし、入力部２５から入力されハンズフリー装置２から通知を受けても良い。
【００４２】
上記利用者の指示は、入力部１５のいずれのキーを用いて入力されるものであっても良く、例えば、通話終了キーの操作によって、通話はハンズフリー装置２を用いて行うのが適切であるとの指示としても良い。更に、移動通信端末装置１が折畳み型の装置であれば、折り畳むことによって、通話はハンズフリー装置２を用いて行うのが適切であるとの指示としても良い。
【００４３】
利用者の指示に基づいて、通話はハンズフリー装置２を用いて行うのが適切であると判断した場合には、上記「発呼」の宛先の電話番号、または、上記「着信」の発呼局の電話番号を電話帳データベース１７の電話番号１７ａに格納し、「○」なる情報をハンズフリーフラッグ１７ｃに格納しても良い。また、利用者の指示に基づいて、通話は移動通信端末装置１を用いて行うのが適切であると判断した場合には、同様に、上記電話番号を電話帳データベース１７の電話番号１７ａに格納し、「×」なる情報をハンズフリーフラッグ１７ｃに格納しても良い。
【００４４】
または、検索されたハンズフリーフラッグ１７ｃの値が「−」である場合、検索をして検索結果が得られない場合、更に、上記「着信」の発呼局の電話番号が不明で上記検索ができない場合に限って、入力部１５または入力部２５から入力された利用者の指示に基づいて、いずれの装置を用いて通話を行うのが適切であるかを判断しても良い。
【００４５】
ハンズフリー装置２を用いた通話が適切であると判断された場合には、「ハンズフリーモードの設定」、即ち、開始される通話をハンズフリー装置２に移管する処理を行う（ステップ１１ｇ）。即ち、送受信部１３を制御して、通信部１２ｂからの高周波信号を増幅、周波数変換及び復調して得たデジタル音声信号を近距離無線送受信部１９に送信させ、また、近距離無線送受信部１９からのデジタル音声信号を変調、周波数変換及び増幅して高周波信号を得て、それを通信部１２ｂに送信させる。
【００４６】
更に、近距離無線送受信部１９を制御して、近距離無線通信部１８ｂからの高周波信号を増幅、周波数変換及び復調して得たデジタル音声信号を送受信部１３に送信させ、また、送受信部１３からのデジタル音声信号を変調、周波数変換及び増幅して高周波信号を得て、それを近距離無線通信部１８ｂに送信させる。
【００４７】
更に、ハンズフリー装置２の制御部２１に、「ハンズフリーモードの設定」、即ち、開始される通話をハンズフリー装置２に移管する旨を通知する。
【００４８】
ステップ１１ｅで発生したイベントが「発呼」であれば、その発呼が移動通信端末装置１からの「発呼」であるか、ハンズフリー装置２からの「発呼」であるかを問わず、制御部１１は、その呼を送受信部１３、通信部１２ｂを経由して基地局に送信し、相手方が着呼してその呼が接続されるのを待つ（ステップ１１ｈ）。
【００４９】
また、ステップ１１ｅで発生したイベントが「着信」であれば、制御部１１は、移動通信端末装置１で行われる利用者の着呼操作を待って、または、ハンズフリー装置２からの「着呼」の操作が行われたとの通知を受信することを待って、呼を接続する（ステップ１１ｈ）。
【００５０】
制御部１１は、呼が接続されると、通信状況が「通話中」に遷移したことをハンズフリー装置２の制御部２１に通知する。そして、ステップ１１ｆで選択した装置を用いた通話動作を開始させる（ステップ１１ｉ）。そして、移動通信端末装置１で行われる利用者の通話終了操作によって、または、ハンズフリー装置２からの「通話終了」の操作が行われたとの通知を受信することによって、通話の終了を知ると、ステップ１１ｅのイベント待ちに戻って処理を繰返す。
【００５１】
なお、制御部１１は、通話の終了の際には、通信状況が「待ち受け中」となったことをハンズフリー装置２の制御部２１に通知する。更に、「ハンズフリーモードの設定の解除」、即ち、通話を移動通信端末装置１に移管する処理を行う。即ち、送受信部１３を制御して、通信部１２ｂからの高周波信号を増幅、周波数変換及び復調して得たデジタル音声信号を通話部１４ｃに送信させ、また、通話部１４ｃからのデジタル音声信号を変調、周波数変換及び増幅して高周波信号を得て、それを通信部１２ｂに送信させる。
【００５２】
更に、近距離無線送受信部１９を制御して、デジタル音声信号の送受信を停止させ、近距離無線通信網３を経由してハンズフリー装置２の制御部２１に「ハンズフリーモードの設定の解除」を通知する。
【００５３】
ステップ１１ｄで、通信状況が「通話中」である場合に行われるステップ１１ｊ、１１ｋ、及び、ステップ１１ｉの処理は、既に説明したステップ１１ｆ〜１１ｉの処理とほぼ同じであるので、説明を省略する。相違点は、ステップ１１ｈの呼を接続させる処理が不要であることである。なぜなら、通信状況が「通話中」であるので、既に、呼が接続されているからである。
【００５４】
次に、本発明の実施形態に係るハンズフリーシステムの動作の中で、ハンズフリー装置２の制御部２１の制御動作を説明する。
【００５５】
図６は、ハンズフリー装置２の制御部２１によるハンズフリー機能の制御動作のフローチャートを示す。ハンズフリー機能の制御動作は、ハンズフリー装置２に電源が投入された時点で動作を開始し（ステップ２１ａ）、近距離無線送受信部２３と移動通信端末装置１の近距離無線送受信部１９との間で所定の認証を経て近距離無線回線のリンクが確立されたときに、近距離無線送受信部２３から出力される通知を待つ。
【００５６】
上記リンクが確立したとの通知を受けると（ステップ２１ｂ）、制御部２１は、移動通信端末装置１の制御部１１から近距離無線通信網３経由で受信した通知、及び、入力部２５の所定のキー（図示せず）を介して利用者が行った操作を入力して（ステップ２１ｃ）、それらの通知及び操作の入力に対応する処理を行う（ステップ２１ｄ）。そして、ステップ２１ｃへ戻って処理を繰返す。
【００５７】
ステップ２１ｃで、移動通信端末装置１の制御部１１から受ける通知には、通信状況の通知として、「待ち受け中」、「発呼中」、「着信中」及び「通話中」がある。そして、通話モードの通知として、「ハンズフリーモードの設定」及び「ハンズフリーモードの設定の解除」がある。また、利用者がハンズフリー装置２の入力部２５を介して行う操作として、「発呼」、「着呼」及び「通話終了」がある。
【００５８】
制御部２１は、制御部１１から通信状況の通知を受信すると、その状況を記憶し、記憶された状況に従って利用者が入力部２５を介して操作を行った場合の制御動作を行う。
【００５９】
制御部２１は、制御部１１から「ハンズフリーモードの設定」の通知を受信すると、近距離無線送受信部２３を制御して、近距離無線通信部２２ｂからの高周波信号を増幅、周波数変換及び復調して得たデジタル音声信号を通話部２４ｃに送信させる。また、通話部２４ｃから出力されるデジタル音声信号を変調、周波数変換及び増幅して高周波信号を得て、それを近距離無線通信部２２ｂに送信させる。
【００６０】
また、制御部２１は、制御部１１から「ハンズフリーモードの設定の解除」の通知を受信すると、近距離無線送受信部２３を制御して、デジタル音声信号の送受信を停止させる。
【００６１】
制御部２１は、入力部２５から利用者の「発呼」の入力があると、記憶されている通信状況が「待ち受け中」の場合に限って、「発呼」を制御部１１に通知する。また、制御部２１は、入力部２５から利用者の「着呼」の入力があると、記憶されている通信状況が「着信中」の場合に限って、「着呼」を制御部１１に通知する。また、制御部２１は、入力部２５から利用者の「通話終了」の入力があると、記憶されている通信状況が「通話中」の場合に限って、「通話終了」を制御部１１に通知する。
【００６２】
以上説明したように、この実施形態によれば、通話相手に依存して、通話をハンズフリー装置２で行うのが適切であるか、それとも、移動通信端末装置１で行うのが適切であるかを判断するので、例えば、趣味関係の通話相手との通話はハンズフリー装置２で行い、仕事関係の通話相手との通話は移動通信端末装置１で行うことが、利用者の操作なしで可能となる。
【００６３】
また、近距離無線通信網３の回線リンクが確立した後で移動通信端末装置１が通信状況をハンズフリー装置２に通知することにより、いかなる通信状況において回線リンクの確立が行われたかによって、後の動作が異なることはない。即ち、いかなる通信状況においても、回線リンクの確立が行われたかを利用者が意識して操作する必要はない。
【００６４】
本実施形態においては、通話をハンズフリー装置２で行うのが適切であるか、それとも、移動通信端末装置１で行うのが適切であるかを、通話相手の電話番号に付随させて移動通信端末装置１の電話帳データベース１７に記憶させるとしたが、電話帳データベース１７は、ハンズフリー装置２に設置しても良い。これによって、同じ電話番号の通話相手であっても、異なる自動車に乗車中、例えば、自家用車に乗車中の場合と、社用車に乗車中の場合とで、ハンズフリー装置２による通話を行ったり、行わなかったりの制御が可能となる。
【００６５】
また、通話をハンズフリー装置２で行うのが適切であるか、それとも、移動通信端末装置１で行うのが適切であるかを、電話帳データベース１７以外のデータベースに記憶させても良い。
【００６６】
また、電話帳データベース１７に記憶された情報や、利用者の指示の他に、ハンズフリー装置２が設置された自動車の状態、例えば、走行速度やエンジンの回転数や、ドアの開閉を示す情報を組合せて用いて、通話をハンズフリー装置２で行うのが適切であるか、それとも、移動通信端末装置１で行うのが適切であるかを判断しても良い。本発明は以上の構成に限定されるものではなく、種々の変形が可能である。
【００６７】
【発明の効果】
以上述べたように、本発明によれば、通話の相手に依存して、通話を移動通信端末装置とハンズフリー装置との間で適切に移管することが可能となる。
【図面の簡単な説明】
【図１】本発明の実施形態に係るハンズフリーシステムの構成を示すブロック図。
【図２】本発明の実施形態に係る移動通信端末装置の構成を示すブロック図。
【図３】本発明の実施形態に係るハンズフリー装置の構成を示すブロック図。
【図４】本発明の実施形態に係る移動通信端末装置が記憶する電話帳データベース。
【図５】本発明の実施形態に係る移動通信端末装置の制御部によるハンズフリー制御動作のフローチャート。
【図６】本発明の実施形態に係るハンズフリー装置の制御部によるハンズフリー制御動作のフローチャート。
【符号の説明】
１  移動通信端末装置
２  ハンズフリー装置
３  近距離無線通信網
１１  制御部
１２ｂ  通信部
１３  送受信部
１４ａ  スピーカ
１４ｂ  マイクロフォン
１４ｃ  通話部
１５  入力部
１７  電話帳データベース
１８ｂ  近距離無線通信部
１９  近距離無線送受信部
２１  制御部
２２ｂ  近距離無線通信部
２３  近距離無線送受信部
２４ａ  スピーカ
２４ｂ  マイクロフォン
２４ｃ  通話部
【図１】
2004336551.tif 000003
【図２】
2004336551.tif 000004
【図３】
2004336551.tif 000005
【図４】
2004336551.tif 000006
【図５】
2004336551.tif 000007
【図６】
2004336551.tif 000008